(57)【特許請求の範囲】
【請求項１】
中心穴を有するボビンと、
前記ボビンに巻かれたコイルと、
永久磁石を含み、前記ボビンの中心穴内を移動可能な磁石体と、
前記ボビンに対して固定的に設けられ、前記磁石体の一方端に吸着可能であり、前記ボビンの中心穴と整列する位置に貫通穴を有する第１ヨークと、
前記第１ヨークの貫通穴を通過して延び、その一方端が前記磁石体の一方端に当接可能なシャフトと、
前記シャフトの他方端に設けられ、前記シャフトを介して前記磁石体に前記第１ヨークから離れる力を付与する操作部とを備える、発電装置。
【請求項２】
前記磁石体の他方端に吸着された第２ヨークをさらに備える、請求項１に記載の発電装置。
【請求項３】
前記磁石体は、前記ボビンの中心穴内を移動可能な永久磁石である、請求項１または２に記載の発電装置。
【請求項４】
前記磁石体は、前記ボビンの中心穴内を移動可能な磁性体と、前記磁性体の他方端側に吸着した永久磁石とを含む、請求項１または２に記載の発電装置。
【請求項５】
底壁と側壁とを有する上部開放のケースと、前記ケースの上端部分に装着され、中央部に中央孔を有する蓋と、前記蓋の中央孔に装着され、突出位置と後退位置との間で変位可能な操作ボタンと備え、
前記ボビンおよび前記第１ヨークは、前記ケース内に固定され、
前記操作ボタンは、前記シャフトに接続されて前記操作部を構成する、請求項１〜４のいずれかに記載の発電装置。
【請求項６】
前記ボビンは、平面視円形状であり、
前記第１ヨークは、平面視四角形形状であり、
前記ケースは、四角柱であり、前記ケースの側壁が交わる角部には、前記第１ヨークを保持する第１突起部がそれぞれ設けられ、前記ケースの側壁の内面には、前記コイルを保持する第２突起部がそれぞれ設けられている、請求項５に記載の発電装置。
【請求項７】
前記ボビンの外周を取り囲む第３ヨークをさらに備える、請求項１〜６のいずれかに記載の発電装置。
【発明の詳細な説明】
【技術分野】
【０００１】
この発明は、発電装置に関する。
【背景技術】
【０００２】
操作部の操作によって発生した運動エネルギーを電磁誘導方式によって電気エネルギーに変換して発電する発電装置が知られている。このような技術として、たとえば、特開２０１５−１３９２６７号公報（特許文献１）などが挙げられる。
【０００３】
特許文献１には、発電部が、磁路形成部材と、第１の発電コイルと、第２の発電コイルと、駆動体とを備え、操作部材が押圧されることで、駆動体が第１の姿勢と第２の姿勢との２つの安定姿勢に変化して、電磁誘導により発電することが開示されている。
【先行技術文献】
【特許文献】
【０００４】
【特許文献１】特開２０１５−１３９２６７号公報
【発明の概要】
【発明が解決しようとする課題】
【０００５】
上記した特許文献１の発電入力装置は、様々な部材が必要であり、構造が複雑であった。
【０００６】
本発明は、上記のような課題を解決するためになされたものであって、その目的は、簡易な構造の発電装置を提供することを目的とする。
【課題を解決するための手段】
【０００７】
本発明の一態様に係る発電装置は、中心穴を有するボビンと、ボビンに巻かれたコイルと、永久磁石を含み、ボビンの中心穴内を移動可能な磁石体と、ボビンに対して固定的に設けられ、磁石体の一方端に吸着可能であり、ボビンの中心穴と整列する位置に貫通穴を有する第１ヨークと、第１ヨークの貫通穴を通過して延び、その一方端が磁石体の一方端に当接可能なシャフトと、シャフトの他方端に設けられ、シャフトを介して磁石体に第１ヨークから離れる力を付与する操作部とを備える。
【０００８】
好ましくは、磁石体の他方端に吸着された第２ヨークをさらに備える。
【０００９】
好ましくは、磁石体は、ボビンの中心穴内を移動可能な永久磁石である。
【００１０】
好ましくは、磁石体は、ボビンの中心穴内を移動可能な磁性体と、磁性体の他方端側に吸着した永久磁石とを含む。
【００１１】
好ましくは、底壁と側壁とを有する上部開放のケースと、ケースの上端部分に装着され、中央部に中央孔を有する蓋と、蓋の中央孔に装着され、突出位置と後退位置との間で変位可能な操作ボタンと備え、ボビンおよび第１ヨークは、ケース内に固定され、操作ボタンは、シャフトに接続されて操作部を構成する。
【００１２】
好ましくは、ボビンは、平面視円形状であり、第１ヨークは、平面視四角形形状であり、ケースは、四角柱であり、ケースの側壁が交わる角部には、第１ヨークを保持する第１突起部がそれぞれ設けられ、ケースの側壁の内面には、コイルを保持する第２突起部がそれぞれ設けられている。
【００１３】
好ましくは、ボビンの外周を取り囲む第３ヨークをさらに備える。
【発明の効果】
【００１４】
本発明によれば、簡易な構造の発電装置を提供することができる。
【図面の簡単な説明】
【００１５】
【図１】本発明の実施の形態１に係る発電装置の動作を示す図である。
【図２】本発明の実施の形態１に係る発電装置の分解斜視図である。
【図３】本発明の実施の形態１におけるケースを示す図であり、（Ａ）は斜視図であり、（Ｂ）は図３（Ａ）における矢印Ｂから見た平面図であり、（Ｃ）は図３（Ａ）におけるＣ−Ｃ線に沿った断面図である。
【図４】本発明の実施の形態２に係る発電装置の動作を示す図である。
【図５】本発明の実施の形態３に係る発電装置の動作を示す図である。
【図６】本発明の実施の形態３における第３ヨークを示す斜視図である。
【発明を実施するための形態】
【００１６】
本発明の実施の形態について図面を参照しながら詳細に説明する。なお、図中同一または相当部分には同一符号を付してその説明は繰り返さない。
【００１７】
＜実施の形態１＞
（構成について）
図１〜３を参照して、実施の形態１に係る発電装置１について説明する。発電装置１は、概略として、ボビン１０と、コイル２０と、永久磁石３０と、第１ヨーク４０と、第２ヨーク５０と、シャフト６０と、操作ボタン６１と、ケース８０とを備える。発電装置１は、小型な発電機であり、典型的には高さ１５〜３０ｍｍ程度、横寸法１０〜２０ｍｍ程度である。なお、図１において、矢印Ａで示す上下方向が高さであり、矢印Ａに直行する方向が横方向である。
【００１８】
図１，２に示すように、ボビン１０は、両端フランジ付の円筒形状である。具体的には、ボビン１０は、軸部１１と、軸部１１の上端の第１フランジ部１２と、軸部１１の下端の第２フランジ部１３とを含む。ボビン１０の軸部１１には、上下に貫通する中心穴１４が設けられている。第１フランジ部１２、第２フランジ部１３、および中心穴１４は、平面視円形状である。ボビン１０は、ケース８０の第２突起部８４（図３）によりその位置が固定されている。具体的には、第２フランジ部１３の下端は、ケース８０の第２突起部８４と接している。
【００１９】
ボビン１０には、コイル２０が巻かれている。具体的には、コイル２０は、ボビン１０の軸部１１の外周に設けられている。コイル２０は、たとえばソレノイドコイルである。なお、理解容易のため図２ではコイル２０の図示を省略している。
【００２０】
ボビン１０の中心穴１４内には、ボビン１０の延在方向（図１における矢印Ａの方向）に沿って移動可能な状態で、永久磁石３０が設けられている。永久磁石３０が中心穴１４を上下に移動することによってコイル２０が電圧を発生する。つまり、永久磁石３０は、コイル２０の巻軸方向に沿って上下に移動するので、コイル２０に交流電流が発生する。なお、本実施の形態では、ボビン１０の中心穴１４内を移動可能なものは永久磁石３０であるが、永久磁石を含む磁石体であればよい。具体的には、実施の形態２の発電装置１Ａで説明する。
【００２１】
永久磁石３０は、上下に移動する方向（軸方向）に着磁している。着磁（磁化）方法は特に限定されないが、たとえば、空芯コイルの中央にマグネット材料を固定し、パルス高電流を流して、軸方向に磁化する方法が挙げられる。また、永久磁石の材料は特に限定されないが、高い磁力を示す観点から、Ｎｄ‐Ｆｅ‐Ｂ焼結磁石を用いることが好ましい。
【００２２】
図１，２に示す永久磁石３０は、柱体である。柱体とは、外形が柱体を意味し、内部が空洞であるものを含む。また、柱体は、円柱、角柱、ディスク状などを含み、本実施の形態では円柱である。なお、永久磁石３０は、ボビン１０の中心穴１４に挿入可能であればよく、その形状は限定されない。永久磁石３０の上下寸法は、中心穴１４の上下寸法よりも大きいことが好ましい。
【００２３】
永久磁石３０の一方端（具体的には、上端）には、第１ヨーク４０が設けられている。第１ヨーク４０は、永久磁石３０の上端に吸着可能であり、ボビン１０に対して固定的に設けられている。具体的には、第１ヨーク４０は、ケース８０の第１突起部８３（図３）上に保持され、ボビン１０の第１フランジ部１２の上端に当接している。ここで、第１ヨーク４０がボビン１０に対して固定的に設けられるとは、第１ヨーク４０の位置とボビン１０の位置が一定であることを意味し、ボビン１０の上端に接着されていることや、ボビン１０の上端から浮いた状態にあることも含む意図である。
【００２４】
第１ヨーク４０は、ボビン１０の中心穴１４と整列する位置に貫通穴４１を有する。具体的には、貫通穴４１は、第１ヨーク４０の略中央に設けられている。この貫通穴４１には、後述するシャフト６０が貫通する。図１，２に示す第１ヨーク４０は、平面視四角形形状である。第１ヨーク４０は、永久磁石３０の上端全面を覆う大きさである。具体的には、第１ヨーク４０の平面形状は、ケース８０の内面の平面形状と同一であり、より具体的には、第１ヨーク４０の外周縁は、ケース８０の内面に当接する。
【００２５】
第１ヨーク４０の材質は、ヨーク（継鉄）である。ヨークとは、マグネットが持つ吸着力を増幅する軟鉄であり、鉄を含んでいればよく、軟磁性材料を含む。後述する第２ヨーク５０も同様の材質である。
【００２６】
永久磁石３０の他方端（具体的には、下端）には、第２ヨーク５０が設けられている。第１ヨーク４０と同様に、第２ヨーク５０は、永久磁石３０の下端に吸着可能である。本実施の形態の第２ヨーク５０は、永久磁石３０の下端に吸着されて接しているだけであり、永久磁石３０に接着されていなくてもよい。図１，２に示す第２ヨーク５０は、平面視円形状である。第２ヨーク５０は、永久磁石３０の下端全面を覆う大きさである。第２ヨーク５０の平面視の面積は、第１ヨーク４０よりも小さい。第２ヨーク５０の厚さは、第１ヨーク４０と略同一である。永久磁石３０は、その上下が第１ヨーク４０および第２ヨーク５０により挟まれ、永久磁石３０の持つ吸着力が増幅される。
【００２７】
第２ヨーク５０は、支持カバー５１により支持されている。支持カバー５１は、非磁性体で形成されている。非磁性体とは、強磁性体ではない物質で、常磁性体、反磁性体及び反強磁性体を含む。非磁性体として、たとえばアルミニウムなどの金属、プラスチックなどの合成樹脂などが挙げられる。本実施の形態の支持カバー５１は合成樹脂である。
【００２８】
特に図２に示すように、支持カバー５１は、第２ヨーク５０の上端の一部を覆う上端部５２と、上端部５２の外周縁から下方に突出する鍔部５３とを含む。支持カバー５１は、第２ヨーク５０の形状に合わせて、平面視円形状であり、鍔部５３内に第２ヨーク５０が取り付けられている。上端部５２の略中央部には、上下に貫通する開口部５４が設けられている。これにより、第２ヨーク５０を支持カバー５１で支持した状態で、第２ヨーク５０と永久磁石３０とが接する。
【００２９】
永久磁石３０の上端には、シャフト６０が当接している。シャフト６０は、長尺状の棒状部材であり、上下方向に延びている。シャフト６０は、非磁性体で形成されている。非磁性体は、上述した支持カバー５１と同様である。本実施の形態のシャフト６０はアルミニウムである。シャフト６０は、第１ヨーク４０の貫通穴４１を通過して延びており、その下端が永久磁石３０の上端に当接している。
【００３０】
なお、シャフト６０は、磁性体で形成されている磁性シャフトであってもよい。また、シャフト６０が永久磁石３０に当接しているとしたが、シャフト６０を押圧することで磁石体を移動することができれば、シャフト６０と磁石体との間に隙間が設けられていてもよい。
【００３１】
シャフト６０の上端には、操作ボタン６１が設けられる。操作ボタン６１は、シャフト６０の上端に固定されている。操作ボタン６１は、突出位置（図１（Ａ））と後退位置（図１（Ｂ））との間で変位可能である。操作ボタン６１を下方に押圧することで、シャフト６０も下方に移動し、永久磁石３０が下方に移動する。このように、操作ボタン６１は、シャフト６０を介して永久磁石３０に第１ヨーク４０から離れる力を付与する。
【００３２】
なお、本実施の形態の操作ボタン６１は、シャフト６０に接続されて操作部を構成したが、操作ボタン６１は必ずしも設けられていなくてもよく、シャフト６０が上方に延びており、シャフト６０の上端を操作することで、永久磁石３０が移動するものであってもよい。その場合、シャフト６０の上端が操作部となる。
【００３３】
以上説明した部材、すなわちボビン１０、コイル２０、永久磁石３０、第１ヨーク４０、第２ヨーク５０、シャフト６０、および操作ボタン６１は、ケース８０内に収納される。ケース８０は、上部開放の四角柱であり、底壁８１と側壁８２とを有する。ケース８０の上端部分には、中央部に中央孔７４を有する蓋７０が装着される。蓋７０の中央孔７４には、上述した操作ボタン６１が装着される。ケース８０および操作ボタン６１は、たとえば非磁性材料で形成され、典型的には、合成樹脂で形成される。ケース８０の底壁８１上には、たとえばゴムやバネなどの弾性部材が設けられていてもよい。これにより、永久磁石３０の戻りを容易にすることができる。
【００３４】
図３は、ケース８０を示す図である。ケース８０の側壁８２が交わる角部には、平面視三角形状の第１突起部８３がそれぞれ設けられている。第１突起部８３は、上述した平面視矩形形状の第１ヨーク４０の角部を下方から保持する。第１突起部８３の高さは、ケース８０の側壁８２の高さの２／３以上であることが好ましい。ケース８０の側壁８２の内面には、平面視矩形状の第２突起部８４がそれぞれ設けられている。第２突起部８４は、上述した平面視円形状のボビン１０を下方から保持する。第２突起部８４の高さは、ケース８０の側壁８２の高さの３／１以上３／２以下であることが好ましい。これにより、永久磁石３０と第２ヨーク５０が下方に移動した場合のスペースを確保することが可能となる。
【００３５】
蓋７０は、本体部７１と、ケース８０の側壁８２の上端縁に位置する上枠部７２と、側壁８２の内面に当接する横枠部７３とを含む。横枠部７３の下端は第１ヨーク４０の上端に当接している。上枠部７２は、ケース８０の側壁８２の外面と面一である。ケース８０および蓋７０が設けられることで、発電装置として単体で提供することが可能となる。さらに、ボビン１０内にゴミやほこりなどが入ることを防止することができる。
【００３６】
（動作について）
続いて、主に図１を参照して、本実施の形態の発電装置１の動作について説明する。
【００３７】
まず、図１（Ａ）に示すように、発電装置１の操作ボタン６１を上方から下方に押圧し、シャフト６０を下方に移動させる。シャフト６０の下端は、永久磁石３０の上端に当接しているため、図１（Ｂ）に示すように、操作ボタン６１の操作に伴って永久磁石３０も下方に移動する。このとき、永久磁石３０は、第１ヨーク４０と吸引しているため、その吸引力よりも強い力で操作ボタン６１を押圧し、永久磁石３０と第１ヨーク４０とを引き剥がす必要がある。永久磁石３０の下端には第２ヨーク５０が吸引しているため、永久磁石３０の下方への移動に伴って、第２ヨーク５０も下方に移動する。操作ボタン６１から手を離すと、永久磁石３０と第１ヨーク４０は吸引し合い、図１（Ａ）に示すように、永久磁石３０は元の位置に戻る。
【００３８】
図１（Ａ），図１（Ｂ）の一点鎖線で示すように、発電装置１の磁気回路の磁束は、永久磁石３０から発生し、第１ヨーク４０を通り第２ヨーク５０を通って永久磁石３０に戻る。永久磁石３０が上方に位置する場合は、磁気回路は図１（Ａ）の一点破線で示す位置に位置する。操作ボタン６１を押圧して、永久磁石３０と第２ヨーク５０が下方に移動すると、第１ヨーク４０の位置は変わらないため、図１（Ｂ）の一点破線で示すように、磁気回路は上下に延びる。このように、コイル２０に対して磁気回路が動くことになるため、起電力が発生する。本実施の形態の発電装置１は、コイル２０の中心穴１４内に位置する永久磁石３０を、操作ボタン６１を押して第１ヨーク４０から引き剥がし、操作ボタン６１から手を放して第１ヨーク４０に対して吸着させるという単純な作業で発電することができるため、簡易な構造とすることができる。さらに、発電装置を小型化することも可能である。
【００３９】
なお、コイル２０に発生した起電力は、コイル２０の両端に接続された配線（図示せず）を介して整流部（図示せず）に伝達され、整流部によって、交流電流を整流して直流電源にする全波整流が行われてもよい。整流された電流は、電極（図示せず）を介して外部に出力される。外部に出力された電流は、外部装置の負荷に供給され、供給された電流によって駆動（稼働）する。外部装置は、瞬間的に電力が必要な装置であれば限定されないが、たとえばチャイム、押ボタン、リモコンなどが挙げられる。
【００４０】
また、操作ボタン６１を押すことで、永久磁石３０を第１ヨーク４０から引き剥がし、操作ボタン６１から手を放すことで、永久磁石３０が第１ヨーク４０に吸着するため、操作ボタン６１を操作することで「カチカチッ」と鳴り、押圧したという感覚を指で感じることができるため、クリック感を付与することができる。
【００４１】
（組み立て方法について）
次に、図２を特に参照して、本実施の形態の発電装置１の組み立て方法について説明する。
【００４２】
まず、ボビン１０にコイル２０を巻き付け、ボビン１０の中心穴１４に永久磁石３０を挿入する。永久磁石３０の上端に第１ヨーク４０を吸引させ、永久磁石３０の下端に第２ヨーク５０を吸引させて、永久磁石３０を第１ヨーク４０と第２ヨーク５０で挟む。この状態で、第２ヨーク５０側を底壁８１側にして、ケース８０内に挿入する。これにより、ケース８０の第２突起部８４の上端がボビン１０の第２フランジ部１３の下端に当接し、ボビン１０がケース８０内に保持される。さらに、ケース８０の第１突起部８３の上端が第１ヨーク４０の下端に当接し、第１ヨーク４０がケース８０内に保持される。
【００４３】
次に、シャフト６０が取り付けられた操作ボタン６１を、蓋７０の中央孔７４に挿入し、ケース８０の上方に蓋７０を被せる。このように、ケース８０内に第１突起部８３と第２突起部８４が設けられていることで、それぞれ別々に設けられる部品をケース８０の中に順序立てて挿入するだけで組み立てることができるため、接着剤やネジなどの連結部材が不要であり、組み立てが容易である。
【００４４】
以下の実施の形態では、発電装置１の他の構成例について説明する。以下に実施の形態１との相違点のみ詳細に説明する。
【００４５】
＜実施の形態２＞
上記実施の形態１の発電装置１は、ボビン１０の中心穴１４内を移動可能なものは永久磁石３０であるが、永久磁石を含む磁石体であればよい。その他の構成は、実施の形態１と同様の構成であってよい。
【００４６】
図４に示すように、ボビン１０の中心穴１４内を移動可能な磁石体は、ボビン１０の中心穴１４内を移動可能な磁性体３１Ａと、磁性体３１Ａの下端側に吸着した永久磁石３２Ａとを含む。永久磁石を含むとは、実施の形態１のように永久磁石だけが設けられることだけでなく、永久磁石の他に磁性体が設けられることも含む意図である。磁性体３１Ａは、磁性を有する長尺状部材であり、具体的にはヨークである。磁性体３１Ａは、ボビン１０の中心穴１４内に位置する。磁性体３１Ａの上下方向の寸法は、中心穴１４の上下方向の寸法と同一か、やや大きいことが好ましい。
【００４７】
永久磁石３２Ａは、実施の形態１の永久磁石３０と同様の材質であるが、形状が異なる。永久磁石３２Ａは、典型的には円柱形状であり、横長（直径＞高さ）である。永久磁石３２Ａは、ボビンの中心穴１４から延びる位置に配置されており、中心穴１４内には位置していない。永久磁石３２Ａの直径は、中心穴１４の直径よりも大きい。
【００４８】
上述した実施の形態１の永久磁石３０は、縦長（直径＜高さ）の円柱形状であったが、本実施の形態の永久磁石３２Ａは、典型的には、横長（直径＞高さ）の円柱形状である。永久磁石の磁力は、高さよりも直径が影響する。そのため、本実施の形態の横長の永久磁石３２Ａを用いることで、実施の形態１の発電装置１よりも発電力を大きくすることができる。
【００４９】
このように、磁石体がボビン１０の中心穴１４を移動可能であるとは、磁石体の全てが中心穴１４内に位置するだけでなく、磁石体の一部（磁性体３１Ａ）が中心穴１４内に位置し、他の磁石体（永久磁石３２Ａ）が中心穴１４の外方に位置することも含む意図である。
【００５０】
永久磁石３２Ａおよび第２ヨーク５０は、支持カバー５１Ａにより支持されている。支持カバー５１Ａは、第１の実施の形態と同様、非磁性体で形成されている。支持カバー５１Ａは、第２ヨーク５０の上端の一部を覆う上端部５２Ａと、上端部５２Ａの外周縁から下方に突出する第１鍔部５３Ａと、第１鍔部５３Ａの外周縁から下方に突出する第２鍔部５４Ａとを含む。第２鍔部５４Ａの直径は、第１鍔部５３Ａの直径よりも大きい。第１鍔部５３Ａで永久磁石３２Ａが保持され、第２鍔部で第２ヨーク５０が保持される。
【００５１】
＜実施の形態３＞
上記実施の形態１，２の発電装置１，１Ａは、ケース８０が設けられていたが、ケース８０が設けられていなくてもよい。その他の構成は、実施の形態１と同様の構成であってよい。
【００５２】
図５に示すように、本実施の形態の発電装置１Ｂは、ボビン１０、コイル２０、永久磁石３０、第１ヨーク４０、第２ヨーク５０、シャフト６０、および操作ボタン６１の側方は、第３ヨーク９０Ｂで取り囲まれている。図６に示すように、第３ヨーク９０Ｂは、円筒形状である。第３ヨーク９０Ｂは、上述した第１ヨーク４０および第２ヨーク５０と同様の材質である。
【００５３】
本実施の形態のボビン１０Ｂは、中央穴１４Ｂが設けられる軸部１１Ｂ、第１フランジ部１２Ｂ、および第２フランジ部１３Ｂに加えて、第１フランジ部１２Ｂの外縁から上方に延びる第１側部１５Ｂと、第２フランジ部１３Ｂの外縁から下方に伸びる第２側部１６Ｂとが設けられる。第１側部１５Ｂと第２側部１６Ｂは、第３ヨーク９０Ｂの内面に当接する。第１側部１５Ｂの上端縁から第２側部１６Ｂの下端縁までの寸法は、第３ヨーク９０Ｂの高さと略同一である。第２側部１６Ｂの下端には、第３ヨーク９０Ｂの下方を覆う底壁８１Ｂが設けられる。底壁８１Ｂは、ボビン１０Ｂの下端を覆う蓋の役割を果たす。
【００５４】
本実施の形態の発電装置１Ｂは、ボビン１０Ｂの外周を取り囲む第３ヨーク９０Ｂが設けられるため、永久磁石３０が第１ヨーク４０、第２ヨーク５０、および第３ヨーク９０Ｂで覆われるため、永久磁石３０の磁気回路を閉回路とすることができ、磁力が外部に漏れないため、起電力をより大きくすることができる。さらに、第３ヨーク９０の内面とボビン１０の第１側部１５Ｂおよび第２側部１６Ｂの外面とが当接する形状とすれば、ボビン１０Ｂを第３ヨーク９０Ｂ内に収納するだけでよいため、組み立てが容易である。
【００５５】
なお、実施の形態１，３において、ボビン１０の中心穴１４に永久磁石３０が設けられる形態、実施の形態２において、ボビン１０の中心穴１４に磁性体３１Ａが設けられ、中心穴１４の延長上に永久磁石３２Ａが設けられる形態を説明したが、これらの形態に限定されない。たとえば、中心穴１４内に複数の永久磁石が設けられてもよいし、中心穴１４内に永久磁石および磁性体が設けられてもよいし、中心穴１４内に永久磁石が設けられ、中心穴１４の延長に磁性体が設けられていてもよい。
【００５６】
また、上記実施の形態の発電装置１，１Ａ，１Ｂは、磁石体の上端に第１ヨーク４０が設けられ、磁石体の下端に第２ヨーク５０が設けられていたが、磁石体の一方端に第１ヨーク４０が設けられていれば足り、第２ヨーク５０は必ずしも設けられていなくてもよい。
【００５７】
また、上記実施の形態では、操作ボタン６１が設けられる方向を上方、その反対を下方としたが、操作ボタン６１が上方に設けられている必要はなく、横向きに使用されてもよいし、逆に操作ボタン６１を下方に設けられてもよい。
【００５８】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００５９】
１，１Ａ，１Ｂ  発電装置、１０，１０Ｂ  ボビン、１４  中心穴、２０  コイル、３０，３２Ａ  永久磁石（磁石体）、３１Ａ  磁性体（磁石体）、４０  第１ヨーク、４１  貫通穴、５０  第２ヨーク、６０  シャフト、６１  操作ボタン（操作部）、７０  蓋、８０  ケース、８３  第１突起部、８４  第２突起部、９０Ｂ  第３ヨーク。
【要約】
【課題】簡易な構造の発電装置を提供すること。
【解決手段】発電装置（１）は、中心穴（１４）を有するボビン（１０）と、ボビン（１０）に巻かれたコイル（２０）と、永久磁石を含み、ボビンの中心穴内を移動可能な磁石体（３０）と、ボビンに対して固定的に設けられ、磁石体の一方端に吸着可能であり、ボビンの中心穴と整列する位置に貫通穴を有する第１ヨーク（４０）と、第１ヨークの貫通穴（４１）を通過して延び、その一方端が磁石体の一方端に当接可能なシャフト（６０）と、シャフトの他方端に設けられ、シャフトを介して磁石体に第１ヨークから離れる力を付与する操作部（６１）とを備える。
【選択図】図１【図１】
0006741334.tif 000002
【図２】
0006741334.tif 000003
【図３】
0006741334.tif 000004
【図４】
0006741334.tif 000005
【図５】
0006741334.tif 000006
【図６】
0006741334.tif 000007